(57)【特許請求の範囲】
【請求項１】
配管部より被検逆止弁のカートリッジを取り外し、被検逆止弁の１次側を開放して収嵌する回動可能な点検用弁ケースに、同点検用弁ケースを密閉する覆蓋キャップと被検逆止弁カートリッジの２次側とを着脱可能に係合させて収嵌し、逆止弁の２次側に加圧する圧縮流体を注入すると共に、注入流体圧縮機構と点検用弁ケースの間に設定した圧力計により被検逆止弁２次側の内圧を計測することにより逆止弁の逆止性能を点検することを特徴とする逆止弁の逆止性能点検方法
【請求項２】
逆止弁の２次側に圧縮流体を注入した後、逆止弁カートリッジを収嵌した点検用弁ケースを回動して１次側開口部を上方に向け、２次側圧縮流体の洩れを目視でも確認するようにした請求項１記載の逆止弁の逆止性能点検方法
【請求項３】
点検用弁ケースに収嵌した被検逆止弁２次側を加圧する圧縮流体に空気を用いるようにした請求項１又は請求項２記載の逆止弁の逆止性能点検方法
【請求項４】
収嵌する逆止弁の２次側を密閉し、１次側を開口する点検用弁ケースと注入流体圧縮機構とを軸心に流体通路を備えた連結軸によって連結すると共に、連結軸に点検用弁ケースに収嵌された逆止弁２次側の内圧を計測する圧力計を設定すると共に、点検用弁ケースを、連結軸を支軸として回動可能にしたことを特徴とする逆止弁逆止性能点検装置
【請求項５】
注入流体圧縮機構を、圧搾シリンダ内にピストンバルブを螺合進退させて連結軸の流体通路中における流体圧を調整する構成にした請求項４記載の逆止弁逆止性能点検装置
【請求項６】
点検用弁ケースの２次側を密閉するキャップ機構を、配管の逆止弁収嵌部覆蓋キャップの内周嵌入部に逆止弁カートリッジの２次側端部を嵌入係止してキャップを結合した逆止弁における、キャップ外周の収嵌部覆蓋雄ねじと螺合する雌ねじを点検用弁ケースの２次側内周に刻設して螺合するキャップ機構に構成した請求項４又は請求項５記載の逆止弁逆止性能点検装置
【発明の詳細な説明】
【技術分野】
【０００１】
本発明は、水道配管の所要部に着脱可能に設定される逆止弁カートリッジについての逆止性能点検方法とそれに用いる装置に関するものである。
【背景技術】
【０００２】
従来、逆止弁は例えば特許文献１に示されるように、水道メータ等配管機器の２次側に設定され、本体機器に水流が逆流することを防止する目的から本体機器に近接してメーターボックス等、狭隘なスペースの配管中に設定され、交換修理のための着脱については多大な労力と時間を必要とした。そのため、特許文献２に示されるように、逆止弁の交換修理のための着脱を簡便に行うための方策も講じられている。
【０００３】
また、逆止弁の逆流防止性能の点検についても配管ラインと一体に考えられ、点検逆止弁が収納される収納継手の１次側に締切り栓体と点検孔を設け、締切り栓体を閉じて点検孔を開けたときに２次側の残圧によって点検孔に生ずる溢水の有無によるものと、図８に示すように１次側に締切り栓体１０１、２次側に締切り栓体１０２を設定し、被検逆止弁１１０と２次側締切り栓体１０２の間に水柱管１１１を立設すると共に両方の締切り栓体を閉じて水柱管を通じて水圧を掛け、点検孔プラグ１１２を外したときに生ずる点検孔１１３からの溢水の有無を確認する方法が行われてきた。
【０００４】
特許文献１、２に示される逆止弁の構成では、上記の点検方法を行う場合に一々逆止弁を配管から取り外したり、配管を分離しなければならず、しかも、１次側に締切り栓体と点検孔を設けるだけの方法では不完全な点検しか行えず、両側に締切り栓体を設定する方法は大掛かりでコスト的にも問題がある。
【特許文献１】特開２００６−２６５９９０号公報
【特許文献２】実開平０５−７５５６８号公報
【発明の開示】
【発明が解決しようとする課題】
【０００５】
しかしながら、逆止弁が収納される収納継手の１次側、或いは１次側と２次側に締切り栓体と点検孔を設け、水柱管を立設する上記点検方法は、地上配管等、逆止弁の設定環境が点検作業を制約しない場合には可能であるが、メーターボックス等、狭隘なスペースの配管ライン中に設定される場合には、点検孔プラグ２個を取外し水柱管を立てる作業は困難を伴うものであり、点検孔プラグをメーターボックスの底に落としたり、失くしたりすることも多い。更に、逆流防止性能が衰退している場合には２次側水柱管の水位低下の確認が困難な問題もある。
【０００６】
また、常に維持されなければならない逆止弁の逆流防止性能についての点検については、設定した逆止弁を配管ラインから取り外すのに面倒な作業が必要であるため、前記のように不完全な方法によるか極めて大掛かりな方法によらざるを得ず、点検を行わずに定期的な交換によって安全性を期待するといった安易な方法に傾く問題があった。
【課題を解決するための手段】
【０００７】
本発明は上記した課題に対応しようとするものであり、配管部より被検逆止弁のカートリッジを取り外し、逆止弁の２次側を密閉し、１次側を開口する点検用弁ケースに上記逆止弁カートリッジを収嵌し、逆止弁の２次側に圧縮流体を注入すると共に、注入流体圧縮機構と点検用弁ケースの間に設定した圧力計により被検逆止弁２次側の内圧を計測するようにした。
【０００８】
また、困難なメーターボックス内での逆止弁着脱作業に対応して、水道配管に開口する収嵌スペース嵌入口を覆蓋するキャップの底面に内周に係止溝を設けた嵌合構造を形成すると共に、逆止弁カートリッジの上面部に、前記覆蓋キャップの係止溝に係止する係止突片を設けるようにして、深くて狭隘なメーターボックス内の逆止弁も覆蓋するキャップの螺合を解き、キャップを摘み挙げるだけでカートリッジに構成された逆止弁を着脱できるようにしたものである。
【０００９】
このように構成することにより、不安定な作業環境での不完全な形でしか行われなかった逆止弁逆流防止性能についての点検作業を、配管ラインから逆止弁カートリッジの簡便な取り外しによる安定した作業環境で、正確な圧力計を備えた独立の装置により行うことができるようにした。
【００１０】
点検装置については、収嵌する逆止弁の２次側を密閉し、１次側を開口する点検用弁ケースに被検逆止弁を収嵌することによって、配管ラインの１次側と２次側の水路を閉鎖した状態を簡易かつ完全に現出すると共に、点検用弁ケースに連結した注入流体圧縮機構により逆止弁の２次側に水圧を掛けた状態として正確な計測力を有する圧力計で２次側内圧を計測点検とを中軸に流体通路を備えた連結軸によって連結すると共に、連結軸に点検用弁ケースに収嵌された逆止弁２次側の内圧を計測するようにした。
【００１１】
また、点検用弁ケースを連結軸を中心に回動可能に構成して、逆止弁の２次側に圧縮流体を注入した後、逆止弁カートリッジを収嵌した点検用弁ケースを回動して１次側開口部を上方に向け、２次側圧縮流体の洩れを目視でも確認するようにした。
【００１２】
更に、注入流体圧縮機構を、圧搾シリンダ内にピストンバルブを螺合進退させて連結軸の流体通路中における点検時の流体圧を一定圧に調整する構成にし、圧搾シリンダ内にピストンバルブを進退により連結軸の流体通路に液体の流体圧を利用するほか、空気による加圧もできる構成にし、圧縮流体を液体ではなく取扱いが容易で後始末の必要もない圧搾空気として点検作業の能率化と労力軽減を図るようにした。
【実施例】
【００１３】
以下、本発明の実施例を図面を参照して説明する。１は点検用弁ケースで、上部に逆止弁カートリッジの嵌入口１１が開口し、逆止弁カートリッジ３が２次側を上にして嵌入されると共に、キャップ４によって密閉されるようになっている。下部は嵌入される逆止弁カートリッジが抜け落ちないように、その１次側端を係止するフランジ１３を備えた開口部１４となっている。
【００１４】
点検用弁ケース１の側腹部は、軸心に流体通路２１を備えた連結軸２によって圧力計５を介して注入流体圧縮機構６と連結され、点検用弁ケース１に収嵌された逆止弁カートリッジ３の２次側スペースに注入される圧縮流体の内圧を調整するようになっている。
【００１５】
すなわち、注入流体圧縮機構６は、圧搾シリンダ６１とピストン６２とから成り、圧搾シリンダ６１内径の雌ねじ６ａとピストン６２外径の雄ねじ６ｂの螺合によってピストン６２先端のピストンバルブ６３が進退して点検用弁ケース１の２次側から圧力計５への蓄圧スペースの容積を調整し、逆止性能が正常である場合の内圧を一定に維持するものである。
【００１６】
圧力計５は、１次側を回転継手５１と連結軸２によって構成される回転機構を介して点検用弁ケース１に、２次側を注入流体圧縮機構６に連通する蓄圧室５２を構成するチーズ５３を下部に連結して蓄圧室５２の内圧に対応して測定示針５４が回動するようになっている。
【００１７】
注入流体圧縮機構のピストン６２は、ハンドル６４の操作により圧搾シリンダ６１内に挿入推進され、圧縮流体を点検用弁ケース１に嵌入された逆止弁カートリッジ３の２次側スペース３５、圧力計の蓄圧室５２に圧縮充填すると共に、ピストン６２の外周ねじ６ｂと圧搾シリンダ６１の内周ねじ６ａの螺合進退によって蓄圧スペースの容積を調整して一定圧で逆止性能の点検が行われるようになっている。
【００１８】
図６は逆止弁カートリッジ３を着脱自在に収嵌できるように構成した配管継手７で、ライン配管との継手構造を備える１次側の水路７１が収嵌スペースの下側から収嵌スペース７２に開口７３し、２次側の水路７４が収嵌スペースの側部に接合連通する。
【００１９】
収嵌スペース７２の上部は、逆止弁カートリッジ３の嵌入口７５が開口し、水道配管に開口する収嵌スペース嵌入口を覆蓋するキャップ４の底面差込部４１の内径凹陥部内周壁に係止溝４２を設けた嵌合構造を形成すると共に、逆止弁カートリッジ３の上面部に、前記覆蓋キャップ４の係止溝４２に係止する係止突片３１を設け、係止溝４２と係止突片３１を嵌合連結して、覆蓋キャップ４と嵌入口７５の螺合を解いて、キャップ４の摘みハンドル４ａを摘み挙げれば連結した逆止弁ユニット３も一体として摘み挙げられるように構成している。
【００２０】
カートリッジ３は上部枠３ａと下部枠３ｂを複数のリブ３ｃ、３ｃ・・によって連結して籠状に構成され、下部枠３ｂの開口部からコニカル型の弁体３６或いは球状弁体３６ａが挿入され、弁座３４によって覆蓋される。コニカル型の弁体３６は常時自重によって弁座３４に接触しており、１次側からの水流によって開口するが２次側から水圧が掛かると弁座３７に圧接されて逆流を阻止する。
【００２１】
上部枠３ａと下部枠３ｂを連結する複数のリブ３ｃ、３ｃ・・中の所定箇所に配置した１本３ｄに収嵌スペース７２の内壁に設けた位置決め凹部７２ａと嵌合する嵌合突条３ｅが設けられ、収嵌スペース７２にカートリッジ３を嵌入する際の位置決めが行われる。
【００２２】
カートリッジ３の上部枠３ａの上面には、覆蓋キャップ４の差込部４１の内径凹陥部４１ｂの内壁に設けられた係止溝４２に係止する一対の係止突片３１、３１が設けてあり、その頂部には係止爪３２が外方にテーパー突出しており、係止突片３１、３１がキャップ４の内径凹陥部４１ｂに差し込まれると、係止溝４２に係止爪３２が嵌入係止される。
【００２３】
係止爪３２は係止溝４２内で自由に回動するので、覆蓋キャップ４と嵌入カートリッジ３は上記係合状態のまま雄ねじ４１ａと雌ねじ１４ａの螺合進退をすることができ、螺合を解いてキャップ４を摘まみ上げれば、カートリッジ３をそのまま配管ラインから取り出して点検用弁ケースに収嵌できる。
【００２４】
以上のように構成された逆止弁カートリッジ３の場合には、点検用弁ケース１の上部に開口する逆止弁カートリッジの嵌入口１１の内壁に、雄ねじ４１ａと螺合する雌ねじ１１ａを刻設することにより、点検用弁ケース用のキャップを調製しなくても、カートリッジ３の上部枠３ａの覆蓋キャップ４がそのまま点検用弁ケース１の覆蓋キャップとして用いることができる。
【００２５】
逆止性能点検については、先ず、前記配管継手７のように逆止弁カートリッジ３が収嵌されたライン配管からカートリッジ３を取り出し、点検用弁ケース１に収嵌すると共にカートリッジ３と着合して取り出された覆蓋キャップ４の雄ねじ４１ａと嵌入口１１内周の雌ねじ１１ａを螺合して点検用弁ケース２次側を密閉する。
【００２６】
逆止弁２次側を加圧する圧縮流体として水を用いる場合には、点検用弁ケースを回動して１次側を上方に向けると弁体３６は自重により下降して逆止弁の１次側が開放状態になるので、そこから所定量の水を注入する。図７にように弁体３６ｂがスプリング３３によって付勢されている場合には、負荷により弁体を２次側に押込んで注入する。
【００２７】
圧縮流体として空気を用いる場合には、一旦、注入流体圧縮機構のハンドル６４を引いて蓄圧容積を大きくしてから、点検用弁ケースを回動して空気を取入れ、再回動して蓄圧スペースを密閉して操作ハンドル６４を所定位置に螺進させて圧力計５により蓄圧スペースの内圧を計測する。
【００２８】
被検逆止弁の逆流防止性能に異常がなければ、圧力計５に表示される圧力は所定値に維持されるが、異常があれば圧縮流体に洩れを生ずるので圧力低下が表示されることになる。なお、圧力計５は図示のようなブルドン管式、デジタル式のものから、図５に示すような透明水柱管によることもできる。
【００２９】
更に、点検用弁ケース１の支軸は、先端部に止め輪２２とＯリング２３を嵌着した連結軸２を回転継手５１に回動可能に挿入して構成される回転機構となっているので、ハンドル６４の操作により圧縮流体を点検用弁ケース１に嵌入された逆止弁カートリッジ３の２次側スペース３５、圧力計の蓄圧室５２に注入して圧力計の測定示針５４の振れを確認した後、点検用弁ケースを回動して１次側開口部を上方に向ければ、弁体の１次側の状態を目視できるので、２次側圧縮流体の洩れを目視でも確認する。
【００３０】
その場合、上記コニカル型の弁体３６、ボール型弁体３６ａの場合は、洩れがあれば、２次側の内圧が弁体を支持できず弁体が弁座との接触状態を維持することができない状態で開口部１４が開放されるので、弁体は図４示すようにキャップ側に落下して性能不良を一目で確認できる。スプリングによって弁体を弁座側に付勢している場合には、図７に示すように、上方に向けられた１次側開口部に水を入れることにより２次側の減圧がスプリング付勢力を弱め２次側の空気が１次側に洩れて気泡が発生して性能不良を確認することができる。
【００３１】
本発明はリフト式のものであれば、弁体の形態が異なる様々な逆止弁ユニットに適用することができるもので、例えば図６はコニカル型の弁体にスプリング３３による付勢力を加えた弁体３６ｂを採用した場合、図７は球弁３６ｃを採用した場合で、いずれも逆止弁機構として公知のものであるが、基本的に同一の構成で設定環境に応じた形態の異なる弁機構を用いることができるものである。
【００３２】
本発明は以上のように構成したので、これまで不安定な作業環境での不完全な形でしか行われなかった逆止弁逆流防止性能についての点検作業を、配管ラインから逆止弁カートリッジの簡便な取り外しによる安定した作業環境で、正確な圧力計を備えた独立の装置により行うことができたものである。
【図面の簡単な説明】
【００３３】
【図１】本発明による逆止性能点検装置の実施例を示すもので、点検用弁ケースに逆止弁カートリッジを収嵌する状况を示す要部を切欠断面とした逆止性能点検装置全体の縦断面側面図
【図２】同じく、逆止弁カートリッジを点検用弁ケースに収嵌して操作ハンドルによりピストンバルブを圧縮方向に螺進させる状况を示す要部を切欠断面とした逆止性能点検装置全体の縦断面側面図
【図３】同じく、逆止弁カートリッジを収嵌した点検用弁ケースを回動により逆転させ、内圧により弁体が弁座面に支持されている状况を示す要部を切欠断面とした逆止性能点検装置全体の縦断面側面図
【図４】同じく、逆止弁カートリッジを収嵌した点検用弁ケースを回動により逆転させたとき、弁体を弁座面に支持できず落下した状况を示す要部を切欠断面とした逆止性能点検装置全体の縦断面側面図
【図５】同じく、圧力計として透明水柱管を用いた実施例を示す要部を切欠断面とした逆止性能点検装置全体の縦断面側面図
【図６】同じく、逆止弁カートリッジを着脱可能に収嵌設定した配管継手の一例を示す逆止弁カートリッジを着脱可能に収嵌設定した配管継手の縦断面側面図
【図７】同じく、スプリング付勢コニカル弁体を逆止弁体としたカートリッジを点検用弁ケースに収嵌して弁ケースを逆転して目視による逆止性能点検の実施状况を示す逆止性能点検装置全体の縦断面側面図
【図８】同じく、球状弁体を逆止弁体としたカートリッジを点検用弁ケースに収嵌した状况を示す、逆止弁カートリッジを収嵌した点検用弁ケースの縦断面側面図
【図９】従来例による、透明水柱管を用いた逆止性能点検の実施状况を示す逆止弁カートリッジを収嵌設定した配管部の縦断面側面図
【符号の説明】
【００３４】
１      点検用弁ケース
１１    点検用弁ケースの被検カートリッジ嵌入口
１１ａ  嵌入口内径の雌ねじ
１２    他の実施例による点検用弁ケースの２次側密閉キャップ
１３    点検用弁ケースのカートリッジ抜止めフランジ
１４    点検用弁ケースの１次側開口部
２      点検用弁ケースを連結する連結軸
２１    連結軸軸心の流体通路
２２    連結軸先端の止め輪
２３    Ｏリング
３      逆止弁カートリッジ
３ａ    カートリッジの上部枠
３ｂ    カートリッジの下部枠
３ｃ    カートリッジの上部枠と下部枠の連結リブ
３ｄ    位置決め突条を設けた連結リブ
３ｅ    位置決め嵌合突条
３１    逆止弁カートリッジ上面の係止突片
３２    係止突片頂部の係止爪
３３    コニカル弁体の付勢スプリング
３４    逆止弁カートリッジの弁座
３５    逆止弁カートリッジの２次側スペース
３６    コニカル型の弁体
３６ａ  球状弁体
３６ｂ  付勢スプリングコニカル弁体
４      覆蓋キャップ
４１    覆蓋キャップの差込部
４１ａ  覆蓋キャップ差込部の雄ねじ
４１ｂ  覆蓋キャップ差込部の内径凹陥部
４２    キャップ底面差込部内径凹陥部内周の係止溝
４４    覆蓋キャップ上面の摘まみハンドル
５      圧力計
５１    回転継手
５２    圧力計測蓄圧室
５３    チーズ
５４    測定示針
６      注入流体圧縮機構
６ａ    圧搾シリンダ内径の雌ねじ
６ｂ    ピストン外径の雄ねじ
６１    圧搾シリンダ
６２    ピストン
６３    ピストンバルブ
６４    ピストン進退操作ハンドル
７      逆止弁収嵌配管継手
７１    配管継手の１次側の水路
７２    配管継手の逆止弁収嵌スペース
７２ａ  逆止弁収嵌位置決め凹部
７３    １次側水路の逆止弁収嵌スペースへの連通開口部
７４    配管継手の２次側の水路
７５    配管継手の逆止弁カートリッジ嵌入口
１０１  従来例による逆止弁１次側締切り栓体
１０２  従来例による逆止弁２次側締切り栓体
１１０  従来例による被検逆止弁
１１１  従来例による性能点検水柱管
１１２  従来例による逆止性能点検孔プラグ
１１３  従来例による逆止性能点検孔
【図１】
0005096879.tif 000002
【図２】
0005096879.tif 000003
【図３】
0005096879.tif 000004
【図４】
0005096879.tif 000005
【図５】
0005096879.tif 000006
【図６】
0005096879.tif 000007
【図７】
0005096879.tif 000008
【図８】
0005096879.tif 000009
【図９】
0005096879.tif 000010